【事件の表示】
　特願２０１９−　３１３７４号「遊技機」拒絶査定不服審判事件〔令和　１年　５月１６日出願公開、特開２０１９−　７２６２７号〕について、次のとおり審決する。
【結　論】
　本件審判の請求は、成り立たない。
【理　由】
第１　手続の経緯
　本願は、平成３１年２月２５日の出願であって、令和１年１０月８日付けの拒絶理由通知に対して、同年１２月１３日に意見書が提出されるとともに手続補正がなされたところ、令和２年２月７日付けで拒絶査定（以下、「原査定」という。）がなされ、これに対して、同年５月１１日に拒絶査定不服審判の請求がされると同時に手続補正がなされたものである。
第２　令和２年５月１１日付けの手続補正についての補正の却下の決定
［補正の却下の決定の結論］
　令和２年５月１１日付けの手続補正（以下、「本件補正」という。）を却下する。
［理由］
１　補正の内容
（１）本件補正は、明細書及び特許請求の範囲を補正するものであって、特許請求の範囲の請求項１について、本件補正前の令和１年１２月１３日付けの手続補正書において、
「【請求項１】
　遊技者に有利な特別遊技状態にするかの判定を行う判定手段と、
　前記判定手段による判定の結果に基づいて前記特別遊技状態に制御する特別遊技状態制御手段と、
　所定の演出手段を用いて演出を実行可能な演出実行手段と、を備え、
　前記演出実行手段は、前記判定手段による判定の結果に基づいて、演出の実行タイミングを示唆する時間演出を行うことが可能であり、
　前記時間演出は、前記特別遊技状態になることを期待させる演出である遊技機であって、
　前記演出実行手段は、前記時間演出が実行されることを事前に示唆する示唆画像の表示を含む前兆演出を実行可能であり、
　前記前兆演出が実行されてから前記時間演出が実行される場合と、前記前兆演出が実行されることなく前記時間演出が実行される場合とで、前記特別遊技状態になる期待度が異なり、
　前記演出実行手段は、
　　前記前兆演出とは異なる種類の演出であって、前記時間演出が実行されることを示唆する他の前兆演出を実行することが可能であり、
　　前記示唆画像を表示することなく前記他の前兆演出を実行可能であることを特徴とする遊技機。」
とあったものを、
「【請求項１】
Ａ　遊技者に有利な特別遊技状態にするかの判定を行う判定手段と、
Ｂ　前記判定手段による判定の結果に基づいて前記特別遊技状態に制御する特別遊技状態制御手段と、
Ｃ　所定の演出手段を用いて演出を実行可能な演出実行手段と、を備え、
Ｄ　前記演出実行手段は、前記判定手段による判定の結果に基づいて、演出の実行タイミングを示唆する時間演出を行うことが可能であり、
Ｅ　前記時間演出は、前記特別遊技状態になることを期待させる演出である遊技機であって、
Ｆ　前記演出実行手段は、前記時間演出が実行されることを事前に示唆する示唆画像の表示を含む前兆演出を実行可能であり、
Ｇ　前記前兆演出が実行されてから前記時間演出が実行される場合と、前記前兆演出が実行されることなく前記時間演出が実行される場合とで、前記特別遊技状態になる期待度が異なり、
Ｈ　前記演出実行手段は、
　　　
前記前兆演出の表示態様違いの演出ではなく
Ｉ　　
前記前兆演出を何れの表示態様でも行うことなく
と補正することを含むものである（下線部は補正箇所を示す。記号Ａ〜Ｉは、分説するため当審で付した。）。
（２）請求項１に係る前記（１）の補正は、次の補正事項からなる。
　本件補正前の請求項１に係る発明を特定するために必要な事項である「前記前兆演出とは異なる種類の演出であって、前記時間演出が実行されることを示唆する他の前兆演出」に関して、「前記前兆演出の表示態様違いの演出ではなく」との記載を付加する補正（以下、「補正事項１」という。）と、補正前の請求項１に係る発明を特定するために必要な事項である「前記他の前兆演出」の「実行」に関して、「前記示唆画像を表示することなく」との記載を「前記前兆演出を何れの表示態様でも行うことなく」との記載とする補正（以下、「補正事項２」という。）。
２　補正の適否について
２−１　新規事項の追加
（１）補正事項１、補正事項２の根拠について
　前記補正事項２については、本願の願書に最初に添付した明細書、特許請求の範囲又は図面（以下「当初明細書等」という。）の【０２８９】、【０３１２】〜【０３１４】等に基づいたものであると認められる。
　一方、補正事項１における「前記前兆演出の表示態様違いの演出ではなく」との記載の「表示態様違い」について、本件補正後の請求項１には具体的な記載がない。
　そして、「前兆演出」の「表示態様」という文言のみからでは、「表示態様」には、表示される色、形状、大きさ、文字などが含まれると解するのが相当であるから、本件補正後の「表示態様違いの演出」には、表示される色、形状、大きさ、文字などが「違」う「演出」が含まれると認められる。
　そこで、当初明細書等をみると、補正事項１と関連する記載として以下の記載がある（下線は当審で付した。以下同じ。）。
　　　
「【０２７６】
次に、前兆演出の抽選について図３３に基づいて説明する。前兆演出には、「用意！ 」の文字画像Ｇ９９（図４４参照）を青色で表示する青色前兆演出（第１の前兆演出） と、「用意！ 」の文字画像Ｇ９９を赤色で表示する赤色前兆演出（第２の前兆演出）とがある。」
「【０３０８】
なお、前兆演出において表示される「用意！ 」の文字画像Ｇ９９は、青色で表示される場合と赤色で表示される場合とがある。上述したように、「用意！ 」の文字画像が赤色で表示される赤色前兆演出の方が、青色で表示される青色前兆演出よりも、その後に大当たり期待度が高い演出パターンの時間演出が実行され易い（図３３参照）。」
（２）当審の判断
　当初明細書等の【０２７６】、【０３０８】の記載を勘案すると、当初明細書等には、請求項１の「表示態様違いの演出」に関連して、文字画像の「色」が「違」う「演出」は記載されているものの、表示される形状、大きさや文字が「違」う「演出」などについて記載されているということはできない。
　なお、審判請求人も、審判請求書の「２．補正の説明」において、本件補正後の請求項１の「表示態様違い」について、「ここで、青色前兆演出と赤色前兆演出のように、どちらも「「用意！」の文字画像Ｇ９９を表示する前兆演出」であるものの、互いに文字画像の表示色が異なっているようなものを「表示態様違いの演出」と言い、」と主張している。
　したがって、補正事項１を含む本件補正は、特許法第１７条の２第３項に規定する要件を満たしていないので、同法第１５９条第１項において準用する同法第５３条第１項の規定により、却下すべきものである。
２−２　補正の目的について
　前記２−１で検討したとおり、仮に、前記補正事項１における「表示態様違いの演出」が文字画像の「色」が「違」う「演出」のみを意味するものであると認定して、以下検討する。
　補正事項１は、本件補正前の請求項１に係る発明を特定するために必要な事項である「前記前兆演出とは異なる種類の演出であって、前記時間演出が実行されることを示唆する他の前兆演出」に関して、「前記前兆演出の表示態様違いの演出ではなく」との限定を付加するものである。
　また、補正事項２は、本件補正前の請求項１に係る発明を特定するために必要な事項である「前記他の前兆演出」の「実行」に関して、「前記示唆画像を表示することなく」との記載を、「前記前兆演出を何れの表示態様でも行うことなく」との記載とし、「示唆画像」を含む「前兆演出を何れの表示態様でも行うこと」がないことを特定することにより、「前記他の前兆演出」の「実行」態様を限定するものである。
　そして、本件補正後の請求項１に係る発明は、本件補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。
２−３　独立特許要件について
　前記２−２で検討したとおりであるから、本件補正後の請求項１に記載された発明（以下「本願補正発明」という。）が特許出願の際独立して特許を受けることができるか否か（特許法第１７条の２第６項において準用する同法第１２６条第７項の規定に適合するか否か）についてさらに検討する。
（１）本願補正発明
　本願補正発明は、前記「１　補正の内容」において示した次のとおりのものである（Ａ〜Ｉは、当審で分説して付与した。）。
（本願補正発明）
「【請求項１】
Ａ　遊技者に有利な特別遊技状態にするかの判定を行う判定手段と、
Ｂ　前記判定手段による判定の結果に基づいて前記特別遊技状態に制御する特別遊技状態制御手段と、
Ｃ　所定の演出手段を用いて演出を実行可能な演出実行手段と、を備え、
Ｄ　前記演出実行手段は、前記判定手段による判定の結果に基づいて、演出の実行タイミングを示唆する時間演出を行うことが可能であり、
Ｅ　前記時間演出は、前記特別遊技状態になることを期待させる演出である遊技機であって、
Ｆ　前記演出実行手段は、前記時間演出が実行されることを事前に示唆する示唆画像の表示を含む前兆演出を実行可能であり、
Ｇ　前記前兆演出が実行されてから前記時間演出が実行される場合と、前記前兆演出が実行されることなく前記時間演出が実行される場合とで、前記特別遊技状態になる期待度が異なり、
Ｈ　前記演出実行手段は、
　　　前記前兆演出の表示態様違いの演出ではなく前記前兆演出とは異なる種類の演出であって、前記時間演出が実行されることを示唆する他の前兆演出を実行することが可能であり、
Ｉ　　前記前兆演出を何れの表示態様でも行うことなく前記他の前兆演出を実行可能であることを特徴とする遊技機。」
（２）引用文献１に記載された発明について 
　原査定の拒絶の理由に引用された特開２０１５−２１１７６２号公報（以下、「引用文献１」という。）には、「遊技機」の発明に関し、図面と共に以下の事項が記載されている（下線は当審で付した。以下、同じ。）。
ア　「【００１７】
　以下、本発明の実施の形態を、図面を参照して説明する。まず、遊技機の一例である
パチンコ遊技機１
イ　「【００６０】
　図２は、主基板（遊技制御基板）３１における回路構成の一例を示すブロック図である。なお、図２は、払出制御基板３７および演出制御基板８０等も示されている。主基板３１には、プログラムに従ってパチンコ遊技機１を制御する遊技制御用マイクロコンピュータ（遊技制御手段に相当）５６０が搭載されている。
遊技制御用マイクロコンピュータ５６０
ＣＰＵ５６
を含む
・・・・・
【００６９】
　この実施の形態では、演出制御基板８０に搭載されている演出制御手段（
演出制御用マイクロコンピュータ
が、
遊技制御用マイクロコンピュータ５６０から演出内容を指示する演出制御コマンドを受信
・・・・・
【００７２】
　演出制御基板８０は、
演出制御用ＣＰＵ１０１
を含む演出制御用マイクロコンピュータ１００
演出制御用ＣＰＵ１０１
演出制御コマンドにもとづいて、ＶＤＰ（ビデオディスプレイプロセッサ）１０９に演出表示装置９の表示制御を行わせる
・・・・・
【０１０９】
　次いで、
ＣＰＵ５６
演出制御コマンドを演出制御用マイクロコンピュータ１００に対して送信する
　
ウ　「【０１６５】
　図１３および図１４は、遊技制御用マイクロコンピュータ５６０が送信する演出制御コマンドの内容の一例を示す説明図である。図１３および図１４に示す例において、コマンド８０ＸＸ（Ｈ）は、特別図柄の可変表示に対応して演出表示装置９において可変表示される演出図柄の変動パターンを指定する演出制御コマンド（変動パターンコマンド）である（それぞれ変動パターンＸＸに対応）。つまり、使用されうる変動パターンのそれぞれに対して一意な番号を付した場合に、その番号で特定される変動パターンのそれぞれに対応する変動パターンコマンドがある。なお、「（Ｈ）」は１６進数であることを示す。また、変動パターンを指定する演出制御コマンドは、変動開始を指定するためのコマンドでもある。従って、演出制御用マイクロコンピュータ１００は、コマンド８０ＸＸ（Ｈ）を受信すると、演出表示装置９において演出図柄の可変表示を開始するように制御する。 
・・・・・ 
【０１７１】
　コマンドＡ００１，Ａ００２（Ｈ）は、ファンファーレ画面を表示すること、すなわち
大当り遊技の開始を指定する演出制御コマンド
大当り開始指定コマンド
大当りの種類に応じて、大当り開始指定コマンド
エ　「【０１９５】
　図１８および図１９は、主基板３１に搭載される
遊技制御用マイクロコンピュータ５６０
ＣＰＵ５６
特別図柄プロセス処理
の
【０１９６】
　ステップＳ３００〜Ｓ３１０の処理は、以下のような処理である。 
【０１９７】 
　
特別図柄通常処理
【０１９８】
　
変動パターン設定処理
オ　「【０２２６】
　図２２は、ステップＳ１２１６Ａ，Ｓ１２１７Ｂの入賞時演出処理を示すフローチャートである。入賞時演出処理では、
ＣＰＵ５６は、
特別図柄および演出図柄の変動を開始するタイミングで、
特別図柄通常処理において大当りや小当りとするか否か、大当り種別を決定したり、変動パターン設定処理において変動パターンを決定し
待機中表示の後、その判定対象となった変動表示において示唆演出を実行して大当りやスーパーリーチとなることを予告する特定演出を実行
　
カ　「【０２５９】
　特別図柄通常処理では、最初に、第１始動入賞口１３を対象として処理を実行することを示す「第１」を示すデータすなわち第１特別図柄を対象として処理を実行することを示す「第１」を示すデータ、または第２始動入賞口１４を対象として処理を実行することを示す「第２」を示すデータすなわち第２特別図柄を対象として処理を実行することを示す「第２」を示すデータが、特別図柄ポインタに設定される。そして、特別図柄プロセス処理における以降の処理では、特別図柄ポインタに設定されているデータに応じた処理が実行される。よって、ステップＳ３００〜Ｓ３１０の処理を、第１特別図柄を対象とする場合と第２特別図柄を対象とする場合とで共通化することができる。
【０２６０】
　次いで、ＣＰＵ５６は、乱数バッファ領域からランダムＲ（大当り判定用乱数）を読み出し、大当り判定モジュールを実行する。なお、この場合、ＣＰＵ５６は、始動口スイッチ通過処理のステップＳ２１５，Ｓ２２１で抽出し第１保留記憶バッファや第２保留記憶バッファにあらかじめ格納した大当り判定用乱数を読み出し、大当り判定を行う。大当り判定モジュールは、
あらかじめ決められている大当り判定値
と大当り判定用乱数とを比較し、
一致したら大当り
とする
大当り判定
の処理を実行
【０２６１】
　大当り判定の処理では、遊技状態が確変状態（高確率状態）の場合は、遊技状態が非確変状態（通常遊技状態および時短状態）の場合よりも、大当りとなる確率が高くなるように構成されている。具体的には、あらかじめ大当り判定値の数が多く設定されている確変時大当り判定テーブル（ＲＯＭ５４における図８（Ａ）の右側の数値が設定されているテーブル）と、大当り判定値の数が確変大当り判定テーブルよりも少なく設定されている通常時大当り判定テーブル（ＲＯＭ５４における図８（Ａ）の左側の数値が設定されているテーブル）とが設けられている。そして、ＣＰＵ５６は、遊技状態が確変状態であるか否かを確認し、遊技状態が確変状態であるときは、確変時大当り判定テーブルを使用して
大当りの判定の処理
大当りとすることに決定した場合には
、
大当りとするか否か決定
大当り遊技状態に移行させ
キ　「【０２６５】
　ステップＳ７１では、ＣＰＵ５６は、
大当りであることを示す大当りフラグをセット
大当り種別を複数種類のうちのいずれかに決定
・・・・・
【０２７１】
　図２５は、特別図柄プロセス処理における変動パターン設定処理（ステップＳ３０１）を示すフローチャートである。
変動パターン設定処理において、
大当りフラグがセットされているか否か確認
変動パターン種別を複数種類のうちのいずれかに決定
ク　「【０３１１】
　
特定演出は、大当りの発生に対する信頼度を示す演出である
【０３１２】
　また、
示唆演出は、特定演出の発生タイミングを該特定演出の発生タイミングよりも所定時間前から示唆する演出であり、
特定演出が発生するタイミングまでの残り時間を、特定演出の発生タイミングよりも５秒前から演出表示装置９に表示する演出（以下、カウントダウン演出ともいう）であ
カウントダウン演出を行ったときには、残り時間を示すカウンタがゼロになった時点で、いずれかの特定演出が発生する
・・・・・
【０３５３】
　図３７は、図３１に示された演出制御プロセス処理における演出図柄変動開始処理（ステップＳ８０１）を示すフローチャートである。演出図柄変動開始処理において、演出制御用ＣＰＵ１０１は、まず、変動パターンコマンド格納領域から変動パターンコマンドを読み出す（ステップＳ８００１）。次いで、
演出制御用ＣＰＵ１０１は、
・・・・・
【０３８０】
　次いで、入賞時判定の判定対象となった
変動表示の開始タイミングとなると、変動パターンコマンドで指定される変動パターンにもとづいて変動時間を特定し、特定演出の実行タイミングおよび示唆演出の開始タイミングが設定され
、設定した示唆演出の開始タイミングとなると、
特定演出の発生までの残り時間が５秒であることを示唆する小表示の示唆演出が表示され
・・・・・
【０３９０】
　以上に説明したように、この実施の形態によれば、計数値を提示する
計数演出
示唆演出（カウントダウン演出）
計数演出が実行されることを示す計数演出画像
待機中表示
・・・・・
【０３９４】
　また、この実施の形態によれば、計数演出の待機中である旨を示す態様で計数演出画像を表示する。具体的には、図４１（Ａ２），（Ｂ２）に示すように、タイマを模した画像を表示して
「待機中」と表示する待機中表示を表示する
ため、遊技者に対して後の識別情報の可変表示において計数演出が実行されることを明確に報知することができる
・・・・・
【０４００】
　また、この実施の形態によれば、
複数種類の態様で計数演出画像を表示可能であり
小さいタイマを模した画像を表示して「待機中」と表示する待機中表示を表示する場合と、
大きいタイマを模した画像が表示して「待機中」と表示する待機中表示を表示する場合とがあ
複数種類の態様のうちのいずれかの態様で計数演出画像を表示する
ケ　「図２５
図４１
」
　
　そして、前記記載事項ア〜ケを総合すると、引用文献１には、次の発明（以下、「引用発明」という。）が記載されていると認められる（ａ〜ｉは、本願補正発明のＡ〜Ｉに対応させて当審にて付与した。また、丸括弧内に示された段落番号は、引用文献における引用箇所を示す。）。
（引用発明）
「ａ、ｂ　特別図柄プロセス処理の特別図柄通常処理において、あらかじめ決められている大当り判定値と大当り判定用乱数とを比較し、一致したら大当りとする大当り判定の処理を実行して、大当りとするか否か決定し（【０１９５】、【０１９７】、【０２２６】、【０２６０】、【０２６１】）、大当りとすることに決定した場合には、大当りであることを示す大当りフラグをセットし、大当り種別を複数種類のうちのいずれかに決定し、大当り遊技状態に移行させ（【０２６１】、【０２６５】）、
　特別図柄プロセス処理の変動パターン設定処理において、大当りフラグがセットされているか否か確認して、変動パターン種別を複数種類のうちのいずれかに決定し（【０１９５】、【０１９８】、【０２７１】）、
　大当りの種類に応じて、大当り遊技の開始を指定する演出制御コマンドである大当り開始指定コマンドを演出制御用マイクロコンピュータ１００に対して送信するＣＰＵ５６を含む遊技制御用マイクロコンピュータ５６０と（【００６０】、【０１０９】、【０１７１】）、
ｃ　遊技制御用マイクロコンピュータ５６０から受信する演出内容を指示する演出制御コマンドにもとづいて、ＶＤＰ（ビデオディスプレイプロセッサ）１０９に演出表示装置９の表示制御を行わせる演出制御用ＣＰＵ１０１を含む演出制御用マイクロコンピュータ１００と、を備え（【００６９】、【００７２】）、
ｄ　遊技制御用マイクロコンピュータ５６０のＣＰＵ５６は、特別図柄および演出図柄の変動を開始するタイミングで、特別図柄通常処理において大当りや小当りとするか否か、大当り種別を決定したり、変動パターン設定処理において変動パターンを決定し（【００６０】、【０２２６】）、
　演出制御用マイクロコンピュータ１００の演出制御用ＣＰＵ１０１は、変動表示の開始タイミングとなると、変動パターンコマンドで指定される変動パターンにもとづいて変動時間を特定し、特定演出の実行タイミングおよび示唆演出の開始タイミングが設定され、設定した示唆演出の開始タイミングとなると、特定演出の発生までの残り時間が５秒であることを示唆する小表示の示唆演出が表示され（【００７２】、【０３５３】、【０３８０】）、
ｅ　示唆演出は、特定演出の発生タイミングを該特定演出の発生タイミングよりも所定時間前から示唆する演出であり、特定演出が発生するタイミングまでの残り時間を、特定演出の発生タイミングよりも５秒前から演出表示装置９に表示する演出（以下、カウントダウン演出ともいう）であり、カウントダウン演出を行ったときには、残り時間を示すカウンタがゼロになった時点で、いずれかの特定演出が発生するものであり、特定演出は、大当りの発生に対する信頼度を示す演出であるパチンコ遊技機１であって（【００１７】、【０３１１】、【０３１２】）、
ｆ、ｇ　演出制御用マイクロコンピュータ１００の演出制御用ＣＰＵ１０１は、「待機中」と表示する待機中表示を表示するため、遊技者に対して後の識別情報の可変表示において計数演出である示唆演出が実行されることを明確に報知することができるものであり（【００７２】、【０３５３】、【０３９４】）、計数演出である示唆演出（カウントダウン演出）が実行されることを示す計数演出画像である待機中表示の後、その判定対象となった変動表示において示唆演出を実行して大当りやスーパーリーチとなることを予告する特定演出を実行し（【０２２６】、【０３９０】）、
ｈ、ｉ　複数種類の態様で計数演出画像を表示可能であり、小さいタイマを模した画像を表示して「待機中」と表示する待機中表示を表示する場合と、大きいタイマを模した画像を表示して「待機中」と表示する待機中表示を表示する場合とがあり、複数種類の態様のうちのいずれかの態様で計数演出画像を表示するパチンコ遊技機１（【００１７】、【０４００】）」
（３）引用文献２に記載された技術事項ついて
　原査定の拒絶理由において提示された、本願の出願前に頒布された刊行物である特開２０１８−１３０３９３号公報（以下「引用文献２」という。）には、図面とともに次の事項が記載されている。
ア　「【００１１】
［パチンコ遊技機１の概略構成］
　以下、図１〜図３を参照して、本発明の一実施形態に係る
パチンコ遊技機１
イ　「【０１６６】
[本実施形態における報知演出設定処理］
　次に、図１８を参照して、
演出制御部４００
報知演出において、大当りを期待させる期待演出が実行されることおよび実行タイミングを示唆するタイマ予告演出を実行可能である
タイマ予告演出において、期待演出が実行されるタイミングまでのタイマ時間をカウントアップするカウントアップ演出を実行した後、カウントアップ演出においてカウントアップされたタイマ時間をカウントダウンするカウントダウン演出を実行し、カウントダウン演出においてタイマ時間が「０：００」までカウントダウンされてこれから期待演出が実行されるタイミングが到来したことを示唆するカウントダウン終了示唆演出を実行可能であ
・・・・・
【０１９１】
　説明は図１８に戻り、ステップＳ７０９において、ＣＰＵ４０１は、ステップＳ７０８で設定したタイマ予告演出の開始タイミングがＴ１であるか否かを判定する。ステップＳ７０９での判定がＹＥＳの場合、処理はステップＳ７１１に移り、この判定がＮＯの場合、処理はステップＳ７１０に移る。【０１９２】
　ステップＳ７１０において、ＣＰＵ４０１は、タイマ予告示唆演出を実行するか否かを抽選等により決定する。この場合、
特別図柄抽選の結果が大当りの場合、特別図柄抽選の結果がハズレの場合に比べて、高い確率でタイマ予告示唆演出を実行する
タイマ予告示唆演出
タイマ予告演出においてカウントダウン演出が実行されているときにタイマ画像が表示される位置と同じ位置に、「スタンバイ」と描かれた文字画像を含むタイマ画像をタイマ予告演出が開始されるまで表示することにより、タイマ予告演出が実行されることを示唆する演出である
ウ　「【０２３３】
　図２７は、タイマ予告演出、タイマ予告示唆演出が実行される報知演出の複数の典型例についてのタイムチャートである。図２７の（１）は、第１タイミングＴ１から開始され２回目の擬似連演出の実行および実行タイミングを予告するタイマ予告演出（第５タイマ予告演出、図２１参照）が実行される報知演出のタイムチャートである。図２７の（２）は、第２タイミングＴ２から開始され２回目の擬似連演出の実行および実行タイミングを予告するタイマ予告演出（第８タイマ予告演出、図２１参照）が実行される報知演出のタイムチャートである。図２７の（３）は、タイマ予告示唆演出が実行された後、第２タイミングＴ２から開始されＳＰＳＰ発展演出の実行および実行タイミングを予告するタイマ予告演出（第８タイマ予告演出、図２１参照）が実行される報知演出のタイムチャートである。図２７の（４）は、タイマ予告示唆演出が実行された後、第３タイミングＴ３から開始されカットイン予告演出の実行および実行タイミングを示唆するタイマ予告演出（第４タイマ予告演出、図２１参照）が実行される報知演出のタイムチャートである。
・・・・・
【０２５３】
　図３０は、図２７の（３）に示す報知演出について具体的に説明するための図である。以下に図３０および図２７の（３）を用いて、タイマ予告示唆演出が実行された後、第２タイミングＴ２から開始されＳＰＳＰ発展演出の実行および実行タイミングを予告するタイマ予告演出が実行される報知演出について説明する。
【０２５４】
　まず、図３０の（１）および図２７の（３）に示すように、報知演出が開始されると、停止表示されていた左装飾図柄ＤＩ１、中装飾図柄ＤＩ３および右装飾図柄ＤＩ３が上から下に向かって変動表示される。
【０２５５】
　次に、図３０の（２）および図２７の（３）に示すように、報知演出の開始から所定時間（例えば、２秒）経過時に「スタンバイ」と描かれた文字画像を含むタイマ画像５０が画像表示部６に表示され、タイマ予告演出がこれから実行されることを示唆するタイマ予告示唆演出が実行される。
【０２５６】
　次に、図３０の（３）および図２７の（３）に示すように、左装飾図柄ＤＩ１が仮停止してから右装飾図柄ＤＩ２が仮停止した後に、中装飾図柄ＤＩ３が「継続」と描かれた図柄で仮停止されて１回目の擬似連演出が実行される。また、図３０の（３）の例では、「スタンバイ」と描かれた文字画像を含むタイマ画像５０が継続表示されており、まだタイマ予告演出が実行されておらず、これから実行されることを示唆している。
【０２５７】
　次に、図３０の（４）および図２７の（３）に示すように、１回目の擬似連演出が実行された直後のタイミング（第２タイミングＴ２）において、「スタンバイ」と描かれた文字画像が消去され、タイマ時間として「０：００」と描かれた文字画像がタイマ画像５０に含まれるように画像表示部６０に表示されタイマ予告演出が開始されるとともに、タイマ画像５０に繋がれた鎖画像が表示され、タイマ画像５０に表示されるタイマ時間を時間の経過と共にカウントアップ表示させる第１カウントアップ演出が実行される。
【０２５８】
　次に、図３０の（５）および図２７の（３）に示すように、左装飾図柄ＤＩ１が仮停止してから右装飾図柄ＤＩ２が仮停止した後に、中装飾図柄ＤＩ３が「継続」と描かれた図柄で仮停止されて２回目の擬似連演出が実行される。また、図３０の（５）の例では、第１カウントアップ演出も実行中であり、タイマ時間が「６：００」までカウントアップ表示されている。
【０２５９】
　次に、図３０の（６）および図２７の（３）に示すように、タイマ時間が「８：００」までカウントアップ表示されると、タイマ画像５０から外れる鎖画像が画像表示部６に表示され、タイマ画像５０に表示されたタイマ時間をカウントダウン表示させるカウントダウン演出が実行される。
【０２６０】
　次に、図３０の（７）および図２７の（３）に示すように、リーチ状態となり、タイマ時間が「０：００」までカウントダウン表示されたときに、「行くぞ！」と描かれた文字画像が表示され、タイマ予告演出の予告対象となる期待演出が実行されることを示唆するカウントダウン終了示唆演出が実行され、タイマ予告演出が終了される。
【０２６１】
　次に、図３０の（８）および図２７の（３）に示すように、３つの装飾図柄が画面右下に縮小表示されて、可動役物７を動作させるＳＰＳＰ発展演出（タイマ予告演出の予告対象である期待演出）が実行される。
【０２６２】
　次に、図３０の（９）および図２７の（３）に示すように、３つの装飾図柄が画面右下に縮小表示されて、カットイン予告画像を画像表示部６に表示させるカットイン予告演出が実行された後、図３０の（１０）および図２７の（３）に示すように、左装飾図柄ＤＩ１、中装飾図柄ＤＩ３および右装飾図柄ＤＩ２が完全に停止表示されることで、大当り抽選の結果が演出的に報知される。」
エ　「図２７
図２８
図３０
」
オ　前記記載事項ウによれば、引用文献２の【０２３３】には、「・・・図２７の（１）は、第１タイミングＴ１から開始され２回目の擬似連演出の実行および実行タイミングを予告するタイマ予告演出（第５タイマ予告演出、図２１参照）が実行される報知演出のタイムチャートである。・・・図２７の（３）は、タイマ予告示唆演出が実行された後、第２タイミングＴ２から開始されＳＰＳＰ発展演出の実行および実行タイミングを予告するタイマ予告演出（第８タイマ予告演出、図２１参照）が実行される報知演出のタイムチャートである。・・・」と記載されている。
　そして、図２７の（３）には、タイマ予告演出の開始前にタイマ予告示唆演出が実行される報知演出のタイムチャートが記載され、図３０には、タイマ予告示唆演出が実行された後、タイマ予告演出が実行される報知演出が記載されている。さらに、図２７の（１）には、タイマ予告演出の開始前にタイマ予告示唆演出が実行されない報知演出のタイムチャートが記載され、図２８には、タイマ予告示唆演出が実行されずにタイマ予告演出が実行される報知演出が記載されている。
　してみると、引用文献２には、「
タイマ予告示唆演出が実行された後、タイマ予告演出が実行される報知演出とタイマ予告示唆演出が実行されずにタイマ予告演出が実行される報知演出があること
カ　以上ア〜エの記載事項及び認定事項オから、引用文献２には、次の技術事項（以下「引用文献２に記載の技術事項」という。）が記載されていると認められる（なお、記号ｅ２ないしｇ２は、本願補正発明の構成ＥないしＧに対応させて合議体が付した。）。
（引用文献２に記載の技術事項）
「ｅ２　報知演出において、大当りを期待させる期待演出が実行されることおよび実行タイミングを示唆するタイマ予告演出を実行可能であるパチンコ遊技機１であって（【００１１】、【０１６６】）、
　演出制御部４００は、タイマ予告演出において、期待演出が実行されるタイミングまでのタイマ時間をカウントアップするカウントアップ演出を実行した後、カウントアップ演出においてカウントアップされたタイマ時間をカウントダウンするカウントダウン演出を実行し、カウントダウン演出においてタイマ時間が「０：００」までカウントダウンされてこれから期待演出が実行されるタイミングが到来したことを示唆するカウントダウン終了示唆演出を実行可能であり（【０１６６】）、
ｆ２　タイマ予告演出においてカウントダウン演出が実行されているときにタイマ画像が表示される位置と同じ位置に、「スタンバイ」と描かれた文字画像を含むタイマ画像をタイマ予告演出が開始されるまで表示することにより、タイマ予告演出が実行されることを示唆する演出であるタイマ予告示唆演出を実行するものであり（【０１９２】）、
ｇ２　タイマ予告示唆演出が実行された後、タイマ予告演出が実行される報知演出とタイマ予告示唆演出が実行されずにタイマ予告演出が実行される報知演出があり（認定事項オ）、特別図柄抽選の結果が大当りの場合、特別図柄抽選の結果がハズレの場合に比べて、高い確率でタイマ予告示唆演出を実行するパチンコ遊技機１（【００１１】、【０１９２】）。」
（４）対比
　本願補正発明と引用発明とを、分説に従い対比する。
ア　引用発明の構成ａ、ｂの「大当り遊技状態」は、本願補正発明の構成Ａの「遊技者に有利な特別遊技状態」に相当する。
　また、引用発明の構成ａ、ｂより、「大当りとすることに決定した場合には、」「大当り遊技状態に移行させ」るのであるから、「大当りとするか否か決定」することは、「大当り遊技状態に移行させ」るか否か決定することであるといえる。そうすると、引用発明における構成ａ、ｂの「大当りとするか否か決定」する「大当り判定の処理を実行」することは、本願補正発明における構成Ａの「遊技者に有利な特別遊技状態にするかの判定を行う」ことに相当する。
　よって、引用発明における構成ａ、ｂの「大当りとするか否か決定」する「大当り判定の処理を実行」する「遊技制御用マイクロコンピュータ５６０」は、本願補正発明における構成Ａの「遊技者に有利な特別遊技状態にするかの判定を行う判定手段」に相当する。
　さらに、引用発明の構成ａ、ｂにおいて、「大当りとするか否か決定」することは、「大当り判定の処理を実行」することによりなされることは明らかであるから、引用発明の構成ａ、ｂの「大当りとするか否か」は、本願補正発明の構成Ｂの「前記判定手段による判定の結果」に相当する。
　してみると、引用発明の構成ａ、ｂの「大当りとするか否か決定し、大当りとすることに決定した場合には、」「大当り遊技状態に移行させ」る「遊技制御用マイクロコンピュータ５６０」は、本願補正発明の構成Ｂの「前記判定手段による判定の結果に基づいて前記特別遊技状態に制御する特別遊技状態制御手段」に相当する。
イ　引用発明の構成ｃの「演出表示装置９」は、本願補正発明の構成Ｃの「所定の演出手段」に相当する。
　また、「演出制御用ＣＰＵ１０１」は、「演出内容を指示する演出制御コマンドにもとづいて、ＶＤＰ（ビデオディスプレイプロセッサ）１０９に演出表示装置９の表示制御を行わせる」ものであるから、「演出表示装置９の表示」は、「演出」であることは明らかである。
　よって、引用発明の構成ｃの「演出内容を指示する演出制御コマンドにもとづいて、ＶＤＰ（ビデオディスプレイプロセッサ）１０９に演出表示装置９の表示制御を行わせる」「演出制御用ＣＰＵ１０１を含む演出制御用マイクロコンピュータ１００」は、本願補正発明の構成Ｃの「所定の演出手段を用いて演出を実行可能な演出実行手段」に相当する。
ウ　引用発明の構成ｄの「特定演出の発生までの残り時間」「を示唆する」「示唆演出」は、本願補正発明の構成Ｄの「演出の実行タイミングを示唆する時間演出」に相当する。
　また、引用発明の構成ｄにおいて、「演出制御用マイクロコンピュータ１００の演出制御用ＣＰＵ１０１は、変動表示の開始タイミングとなると、変動パターンコマンドで指定される変動パターンにもとづいて変動時間を特定し、特定演出の実行タイミングおよび示唆演出の開始タイミングが設定され、設定した示唆演出の開始タイミングとなると、特定演出の発生までの残り時間が５秒であることを示唆する小表示の示唆演出が表示され」るものであるから、「示唆演出」が「変動パターンにもとづ」くことは明らかである。
　さらに、引用発明の構成ａ、ｂにより、「変動パターン種別」は「遊技制御用マイクロコンピュータ５６０」の「特別図柄プロセス処理の変動パターン設定処理において、大当りフラグがセットされているか否か確認して、」「複数種類のうちのいずれかに決定」されることが特定されており、また、「大当りフラグがセットされているか否か」は、「大当り判定の処理」によるものであることは明らかであるから、引用発明の構成ｄの「変動パターン」は、「遊技制御用マイクロコンピュータ５６０」の「大当りの判定の処理」によるものであるといえる。
　よって、引用発明の構成ｄにおいて、「演出制御用マイクロコンピュータ１００は、変動表示の開始タイミングとなると、」「遊技制御用マイクロコンピュータ５６０」の「大当りの判定の処理」による「変動パターン」「にもとづいて」「特定演出の発生までの残り時間」「を示唆する」「示唆演出」を「表示」することは、本願補正発明の構成Ｄの「前記演出実行手段は、前記判定手段による判定の結果に基づいて、演出の実行タイミングを示唆する時間演出を行うことが可能であ」ることに相当する。
エ　前記ウより「示唆演出」は、「特定演出の発生までの残り時間」「を示唆する」ものであるから、「示唆演出」は、「特定演出の発生」「を示唆する」ものであり、「特定演出は、大当りの発生に対する信頼度を示す演出である」から、遊技者は「示唆演出」が発生すると、「大当りの発生に対する信頼度を示す演出である」「特定演出の発生」を期待することになる。
　そして、遊技者は、「示唆演出」が「発生」「を示唆する」「特定演出」が「示す」「信頼度」によって、「大当り遊技状態」になることを期待することは明らかであるから、結果的に、「示唆演出」は、「大当り遊技状態」になることを期待させるものであるといえる。
　よって、引用発明の構成ｅの「示唆演出は、」「大当り遊技状態」になることを期待させるものである「パチンコ遊技機１」は、本願補正発明の構成Ｅの「前記時間演出は、前記特別遊技状態になることを期待させる演出である遊技機」に相当する。
オ　引用発明の構成ｆ、ｇ及び構成ｈ、ｉにおいて、「計数演出画像である待機中表示の後、その判定対象となった変動表示において示唆演出を実行して大当りやスーパーリーチとなることを予告する特定演出を実行」するのであるから、「計数演出画像である待機中表示」は、「示唆演出を実行」することを事前に示唆するものであるといえる。
　そうすると、引用発明の構成ｆ、ｇ及び構成ｈ、ｉの「計数演出画像」としての「小さいタイマを模した画像を表示して「待機中」と表示する待機中表示」は、本願補正発明の構成Ｆの「前記時間演出が実行されることを事前に示唆する示唆画像」に相当し、「計数演出画像」として「小さいタイマを模した画像を表示して「待機中」と表示する待機中表示を表示する」演出は、本願補正発明の構成Ｆの「前記時間演出が実行されることを事前に示唆する示唆画像の表示を含む前兆演出」に相当する。
　したがって、引用発明の構成ｆ、ｇ及び構成ｈ、ｉの「演出制御用マイクロコンピュータ１００は、」「計数演出画像」として「小さいタイマを模した画像を表示して「待機中」と表示する待機中表示を表示する」演出を行うことは、本願補正発明の構成Ｆの「前記演出実行手段は、前記時間演出が実行されることを事前に示唆する示唆画像の表示を含む前兆演出を実行可能であ」ることに相当する。
カ　引用発明の構成ｆ、ｇ及び構成ｈ、ｉは、「計数演出画像」として「小さいタイマを模した画像を表示して「待機中」と表示する待機中表示を表示する場合」があり、「計数演出画像である待機中表示の後」、「示唆演出を実行」するものであるから、「計数演出画像」として「小さいタイマを模した画像を表示して「待機中」と表示する待機中表示を表示」した後、「示唆演出を実行」する場合があるものといえる。そして、そのような場合は、本願補正発明の構成Ｇと「前記前兆演出が実行されてから前記時間演出が実行される場合」である点で共通する。
キ　引用発明の構成ｆ、ｇ及び構成ｈ、ｉにおいて、「小さいタイマを模した画像を表示して「待機中」と表示する待機中表示を表示する場合と、大きいタイマを模した画像を表示して「待機中」と表示する待機中表示を表示する場合とがあ」ることが特定されている。
　そして、前記２−２で説示したとおり、本願補正発明の「表示態様違いの演出」が文字画像の「色」が「違」う「演出」のみを意味するものであると認定すると、「小さいタイマを模した画像を表示して「待機中」と表示する待機中表示を表示する場合」と「大きいタイマを模した画像を表示して「待機中」と表示する待機中表示を表示する場合」とでは、「待機中」の表示や「タイマを模した画像」の大きさが違うのであるから、両者は、本願補正発明の構成Ｈの「表示態様違いの演出ではなく」との構成を備えるものである。
　そうすると、引用発明の構成ｆ、ｇ及び構成ｈ、ｉの、「計数演出画像」として「大きいタイマを模した画像を表示して「待機中」と表示する待機中表示を表示する」演出は、本願補正発明の構成Ｈの「前記前兆演出の表示態様違いの演出ではなく前記前兆演出とは異なる種類の演出であって、前記時間演出が実行されることを示唆する他の前兆演出」に相当する。
　よって、引用発明の構成ｆ、ｇ及び構成ｈ、ｉの「演出制御用マイクロコンピュータ１００は、」「計数演出画像」として「大きいタイマを模した画像を表示して「待機中」と表示する待機中表示を表示する」演出を行うことは、本願補正発明の構成Ｈの「前記演出実行手段は、前記前兆演出の表示態様違いの演出ではなく前記前兆演出とは異なる種類の演出であって、前記時間演出が実行されることを示唆する他の前兆演出を実行することが可能であ」ることに相当する。
ク　引用発明の構成ｆ、ｇ及び構成ｈ、ｉにおいて、「複数種類の態様のうちのいずれかの態様で計数演出画像を表示」することが特定されており、「演出制御用マイクロコンピュータ１００は、」「計数演出画像」として「小さいタイマを模した画像を表示して「待機中」と表示する待機中表示を表示する」演出を行うことなく「計数演出画像」として「大きいタイマを模した画像を表示して「待機中」と表示する待機中表示を表示する」演出を行うものである。
　よって、引用発明の構成ｆ、ｇ及び構成ｈ、ｉの、「演出制御用マイクロコンピュータ１００は、」「計数演出画像」として「小さいタイマを模した画像を表示して「待機中」と表示する待機中表示を表示する」演出を行うことなく「計数演出画像」として「大きいタイマを模した画像を表示して「待機中」と表示する待機中表示を表示する」演出を行う「パチンコ機１」は、本願補正発明の構成Ｉの「前記前兆演出を何れの表示態様でも行うことなく前記他の前兆演出を実行可能である」「遊技機」に相当する。
　そうすると、本願補正発明と引用発明の一致点及び相違点は以下のとおりである。
（一致点）
Ａ　遊技者に有利な特別遊技状態にするかの判定を行う判定手段と、
Ｂ　前記判定手段による判定の結果に基づいて前記特別遊技状態に制御する特別遊技状態制御手段と、
Ｃ　所定の演出手段を用いて演出を実行可能な演出実行手段と、を備え、
Ｄ　前記演出実行手段は、前記判定手段による判定の結果に基づいて、演出の実行タイミングを示唆する時間演出を行うことが可能であり、
Ｅ　前記時間演出は、前記特別遊技状態になることを期待させる演出である遊技機であって、
Ｆ　前記演出実行手段は、前記時間演出が実行されることを事前に示唆する示唆画像の表示を含む前兆演出を実行可能であり、
Ｇ’前記前兆演出が実行されてから前記時間演出が実行される場合があり、
Ｈ　前記演出実行手段は、
　　　前記前兆演出の表示態様違いの演出ではなく前記前兆演出とは異なる種類の演出であって、前記時間演出が実行されることを示唆する他の前兆演出を実行することが可能であり、
Ｉ　前記前兆演出を何れの表示態様でも行うことなく前記他の前兆演出を実行可能である遊技機。」
（相違点）（構成Ｇ）
　本願補正発明は、「前記前兆演出が実行されてから前記時間演出が実行される場合と、前記前兆演出が実行されることなく前記時間演出が実行される場合とで、前記特別遊技状態になる期待度が異なり、」との構成を備えるのに対し、引用発明は、「計数演出画像」として「小さいタイマを模した画像を表示して「待機中」と表示する待機中表示を表示」した後、「示唆演出を実行」する場合（本願補正発明の「前記前兆演出が実行されてから前記時間演出が実行される場合」に相当）があるものの、「前記前兆演出が実行されることなく前記時間演出が実行される場合」はなく、「前記前兆演出が実行されてから前記時間演出が実行される場合と、前記前兆演出が実行されることなく前記時間演出が実行される場合とで、前記特別遊技状態になる期待度が異な」る構成を備えない点。
（５）相違点についての当審の判断
ア　前記（３）で示した引用文献２に記載の技術事項のｅ２の「タイマ予告演出」は、「大当りを期待させる期待演出が実行されること」「を示唆する」ものである。そして、遊技者は「タイマ予告演出」が「実行」されると、「大当りを期待させる期待演出が実行されること」を期待することになるから、結果として、「タイマ予告演出」は、「大当りを期待させる」「演出」であるといえる。
　よって、引用文献２に記載の技術事項のｅ２の「大当りを期待させる」「演出」である「タイマ予告演出を実行可能であるパチンコ遊技機１」は、本願補正発明の構成Ｅの「前記時間演出は、前記特別遊技状態になることを期待させる演出である遊技機」に相当する。
イ　引用文献２に記載の技術事項のｆ２の「タイマ予告演出」は、本願補正発明の構成Ｆの「前記時間演出」に相当する。
　また、引用文献２に記載の技術事項ｆにおいて、「「スタンバイ」と描かれた文字画像を含むタイマ画像をタイマ予告演出が開始されるまで表示することにより、タイマ予告演出が実行されることを示唆する」のであるから、引用文献２に記載の技術事項ｆ２の「「スタンバイ」と描かれた文字画像を含むタイマ画像」は、本願補正発明の構成Ｆの「前記時間演出が実行されることを事前に示唆する示唆画像」に相当する。
　さらに、引用文献２に記載の技術事項ｆ２において、「「スタンバイ」と描かれた文字画像を含むタイマ画像をタイマ予告演出が開始されるまで表示することにより、タイマ予告演出が実行されることを示唆する演出であるタイマ予告示唆演出」は、本願補正発明の構成Ｆの「前記時間演出が実行されることを事前に示唆する示唆画像の表示を含む前兆演出」に相当する。
　よって、引用文献２に記載の技術事項ｆ２の「演出制御部４００は、」「「スタンバイ」と描かれた文字画像を含むタイマ画像をタイマ予告演出が開始されるまで表示することにより、タイマ予告演出が実行されることを示唆する演出であるタイマ予告示唆演出」「を実行する」ことは、本願補正発明の構成Ｆの「前記演出実行手段は、前記時間演出が実行されることを事前に示唆する示唆画像の表示を含む前兆演出を実行可能であ」ることに相当する。
ウ　引用文献２に記載の技術事項のｇ２の「タイマ予告示唆演出が実行された後、タイマ予告演出が実行される報知演出」、「タイマ予告示唆演出が実行されずにタイマ予告演出が実行される報知演出」は、それぞれ本願補正発明の構成Ｇの「前記前兆演出が実行されてから前記時間演出が実行される場合」、「前記前兆演出が実行されることなく前記時間演出が実行される場合」に相当する。
　そして、引用文献２に記載の技術事項のｇ２は「特別図柄抽選の結果が大当りの場合、特別図柄抽選の結果がハズレの場合に比べて、高い確率でタイマ予告示唆演出を実行する」ことを特定していることから、「特別図柄抽選の結果が大当りの場合、特別図柄抽選の結果がハズレの場合に比べて、」「タイマ予告示唆演出が実行された後、タイマ予告演出が実行される報知演出」の方が、「タイマ予告示唆演出が実行されずにタイマ予告演出が実行される報知演出」よりも「高い確率で」「実行」されることになる。
　その結果、「タイマ予告示唆演出が実行された後、タイマ予告演出が実行される報知演出」の方が、「タイマ予告示唆演出が実行されずにタイマ予告演出が実行される報知演出」よりも「特別図柄抽選の結果が大当り」となる「確率」が「高」いといえる。
　よって、引用文献２に記載の技術事項のｇ２の「タイマ予告示唆演出が実行された後、タイマ予告演出が実行される報知演出」の方が、「タイマ予告示唆演出が実行されずにタイマ予告演出が実行される報知演出」よりも「特別図柄抽選の結果が大当り」となる「確率」が「高」いことは、本願補正発明の構成Ｇの「前記前兆演出が実行されてから前記時間演出が実行される場合と、前記前兆演出が実行されることなく前記時間演出が実行される場合とで、前記特別遊技状態になる期待度が異な」ることに相当する。
エ　したがって、引用文献２に記載の技術事項は、前記相違点に係る本願補正発明の構成Ｇに相当する構成を含むといえる。
オ　引用発明と引用文献２に記載の技術事項とは、ともにカウントダウンを開始し、特定演出の発生までの残り時間を示唆する示唆演出と、示唆演出を実行することを事前に示唆する演出を実行する遊技機である点で共通する。
　そして、遊技機の分野において、演出のバリエーションを増やすことにより、遊技者の興趣の向上を図ることは、当業者が当然認識すべき課題であることに鑑みれば、引用発明に引用文献２に記載の技術事項を適用し、「計数演出画像」として「小さいタイマを模した画像を表示して「待機中」と表示する待機中表示を表示する」演出を行うことなく「示唆演出を実行」する場合を増やして、「計数演出画像」として「小さいタイマを模した画像を表示して「待機中」と表示する待機中表示を表示」した後、「示唆演出を実行」する場合の方が、「計数演出画像」として「小さいタイマを模した画像を表示して「待機中」と表示する待機中表示を表示する」演出を行うことなく「示唆演出を実行」する場合よりも「大当りに対する期待度（信頼度）が高く」なるように構成することは、当業者が容易になし得たものである。
（６）効果について
　本願補正発明により奏される効果は、引用発明および引用文献２に記載の技術事項から、当業者が予測可能な範囲内のものである。
（７）請求人の主張について
　請求人は、令和２年５月１１日付けの審判請求書の「４．進歩性の説明」において、
「しかしながら、本願発明については今回の補正により、前兆演出と他の前兆演出とが種類の異なる演出であるという構成に、同種の演出の表示態様違いが含まれないことが明確になったものと思料します。
　また、今回の補正により、前兆演出がその表示態様違いも含めて一切行われることなく、他の前兆演出が実行され得ることが明確になったものと思料します。
　従って、本願発明と引用文献１に係る発明とは、前兆演出を何れの表示態様でも行うことなく、前兆演出の表示態様違いではなく前兆演出とは種類の異なる演出である他の前兆演出を実行可能である、という点において明らかに異なっています。
・・・・・　
　そして本願発明によれば次のような効果を奏します。すなわち、前兆演出の実行の有無で特別遊技状態になる期待度が変わるため、遊技者は時間演出が実行されるにしても前兆演出を伴うのか伴わないのかに関心を持ちながら遊技しており、このような中で前兆演出が一切実行されなくても、別種の演出である他の前兆演出が実行されるという演出パターンもあるため、遊技興趣が向上されます（段落０３１８等参照）。
　このような効果は、「待機中」と表示する演出パターンしか有さない引用文献１の発明では奏し得ない効果です。
　従いまして本願発明は、進歩性を有していると思料します。」と主張する。
　そこで、請求人の主張について検討する。
　本願補正発明の構成Ｈの「表示態様違いの演出ではなく」との構成は、前記「２−３（４）キ」において検討したように、引用発明に記載されている構成であるから、審判請求人の前記主張は採用することができない。
（８）小括
　よって、本願補正発明は、引用発明及び引用文献２に記載の技術事項に基いて当業者が容易に発明をすることができたものであるから、特許法第２９条第２項の規定により、特許出願の際に独立して特許を受けることができないものである。
４　まとめ
　本願補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　　　
第３　本願発明について
１　本願発明
　本件補正は、前記第２のとおり却下されることとなったので、令和１年１２月１３日付けの手続補正書の特許請求の範囲の請求項１に係る発明（以下「本願発明」という。）は、前記第２の「１　補正の内容」に示した令和１年１２月１３日付けの手続補正書の特許請求の範囲の請求項１のとおりのものであると認める。
　　　
２　原査定の拒絶の理由の概要
　原査定の拒絶の理由は、次のとおりのものである。
（進歩性）この出願の請求項１〜３に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　記
　１．特開２０１５−２１１７６２号公報
　２．特開２０１８−１３０３９３号公報
　　　
３　引用文献に記載された事項
　原査定の拒絶の理由に引用された引用文献１（前記第２の「２−３（２）」における「引用文献１」に対応する。）の記載事項及び引用発明の認定については、前記第２の「２−３（２）」に記載したとおりであり、同じく、原査定の拒絶の理由に引用された引用文献２（前記第２の「２−３（３）における「引用文献２」に対応する。）の記載事項及び引用発明２の認定については、前記第２の「２−３（３）に記載したとおりである。
　　　
４　対比・判断
　本願発明は、それぞれ、前記第２の「２−２」で検討した本願補正発明の「前記前兆演出とは異なる種類の演出」に関して、構成Ｈの「前記前兆演出の表示態様違いの演出ではなく」との限定事項を削除するとともに、「前記他の前兆演出」の「実行」に関して、構成Ｈの「前記前兆演出を何れの表示態様でも行うことなく」との構成を「前記示唆画像を表示することなく」とするものである。
　そして、前記「２−３（４）ク」で説示したとおり、引用発明の構成ｆ、ｇ及び構成ｈ、ｉの、「演出制御用マイクロコンピュータ１００は、」「計数演出画像」として「小さいタイマを模した画像を表示して「待機中」と表示する待機中表示を表示する」演出を行うことなく「計数演出画像」として「大きいタイマを模した画像を表示して「待機中」と表示する待機中表示を表示する」演出を行うものである。
　そして、「計数演出画像」として「小さいタイマを模した画像を表示して「待機中」と表示する待機中表示を表示する」演出を行うことなく「計数演出画像」として「大きいタイマを模した画像を表示して「待機中」と表示する待機中表示を表示する」演出を行えば、「計数演出画像」としての「小さいタイマを模した画像を表示して「待機中」と表示する待機中表示」（本願発明の「示唆画像」に相当）は表示されないことは明らかである。
　そうすると、引用発明の構成ｆ、ｇ及び構成ｈ、ｉの「計数演出画像」としての「小さいタイマを模した画像を表示して「待機中」と表示する待機中表示」（本願発明の「示唆画像」に相当）は表示されないことは、本願発明の「前記示唆画像を表示することなく」に相当する。
　よって、本願発明と引用発明とは、本願補正発明と同様に、前記［相違点］（構成Ｇ）において相違し、その余の点において一致する。
　そして、当該相違点については、前記第２の「２−３（５）」において検討したとおりであるから、本願発明は、引用発明に引用文献２に記載の技術事項を適用することにより当業者が容易になし得たものである。
　　　　　 　 
第４　むすび
　以上のとおり、本願発明は、特許法第２９条第２項の規定により特許を受けることができないものであるから、他の請求項に係る発明について検討するまでもなく、本願は拒絶されるべきものである。
　よって、結論のとおり審決する。